(57)【要約】【課題】、レンズどうしを接着剤によって貼り合わせる際に、接着剤が嵌合部に溢れ出すのを防止できる貼合わせレンズを提供する。【解決手段】貼り合わされたレンズ１６テーパー７の間の接着層５１より径方向外側でかつ、嵌合部６０より径方向内側において、下側のレンズ１６のフランジ部１６ａに接着剤溜り５３が環状に設けられ、接着剤溜り５３の外周部に、当該接着剤溜り５３の底面５３ａから上側に向かう上り壁５３ｃが設けられているので、接着層５１を越えて接着剤溜り５３に流入した接着剤は上り壁５３ｃによって堰き止められる。したがって、レンズ１６，１７どうしを接着剤によって貼り合わせる際に、接着剤が嵌合部６０に溢れ出すのを防止できる。【選択図】図２
2018097294.tif 000002
【特許請求の範囲】
【請求項１】
接着剤により上下のレンズどうしを貼り合わせるとともに、これらレンズの外周部のフランジ部どうしを嵌合部で嵌合した貼合わせレンズであって、
貼り合わされた前記レンズの間の接着層より径方向外側でかつ、前記嵌合部より径方向内側において、下側の前記レンズのフランジ部に接着剤溜りが環状に設けられ、
前記接着剤溜りの外周部に、当該接着剤溜りの底面から上側に向かう上り壁が設けられていることを特徴とする貼合わせレンズ。
【請求項２】
前記嵌合部は、前記上り壁の上部と、上側の前記レンズのフランジ部との嵌合によって構成されていることを特徴とする請求項１に記載の貼合わせレンズ。
【請求項３】
上下の前記レンズの有効径内における上下の前記レンズのレンズ面どうしの間の間隔より、上下の前記レンズの有効径外における対向面どうし間の間隔が広くなっていることを特徴とする請求項１または２に記載の貼合わせレンズ。
【請求項４】
上下の前記レンズのフランジ部のうち、一方のフランジ部の外周面が他方のフランジ部の外周面より径方向外側に突出していることを特徴とする請求項１〜３のいずれか１項に記載の貼合わせレンズ。
【請求項５】
請求項１〜４のいずれか１項に記載の貼合わせレンズを備えていることを特徴とするカメラモジュール。
【発明の詳細な説明】
【技術分野】
【０００１】
本発明は、レンズどうしを接着剤で貼り合わせた貼合わせレンズおよびこの貼合わせレンズを備えるカメラモジュールに関する。
【背景技術】
【０００２】
より少ないレンズ枚数で、色収差などの補正を行うために、異なるレンズのレンズ面を接着剤で貼合わせた貼合わせレンズが使われる場合がある（例えば、特許文献１参照）。貼合わせレンズでは、レンズ間の隙間や剥離が発生しないように十分な量（厚さ）の接着剤が必要である。
また、このような貼合わせレンズでは、レンズの外周部に設けられているフランジ部どうしを嵌合することによって、レンズどうしをそれらの光軸を一致させて貼り合わすことが行われている。
【先行技術文献】
【特許文献】
【０００３】
【特許文献１】特開２０１４−１１９７０７号公報
【発明の概要】
【発明が解決しようとする課題】
【０００４】
ところで、貼合わせレンズにおいて、レンズ間の隙間や剥離が発生しないように十分な量の接着剤を使用すると、接着剤がレンズどうしの接着面を越えて、外周部のフランジ部どうしの嵌合部まで溢れ出す虞がある。
このように接着剤が嵌合部まで溢れ出すと、嵌合部に接着剤が介在して、所望の光学特性が得られない場合が多い。例えば、嵌合部に接着剤が不均一に介在すると、レンズが傾いて接着され、また、嵌合部に接着剤が均一に介在しても、貼合わせレンズの厚みが変化するため、レンズを設置する際の精度が悪化してしまい、その結果所望の光学特性が得られなくなってしまう。
【０００５】
本発明は、前記事情に鑑みてなされたものであり、レンズどうしを接着剤によって貼り合わせる際に、接着剤が嵌合部に溢れ出すのを防止できる貼合わせレンズおよびこの貼合わせレンズを備えるカメラモジュールを提供することを目的とする。
【課題を解決するための手段】
【０００６】
前記課題を解決するために、本発明の貼合わせレンズは、接着剤により上下のレンズどうしを貼り合わせるとともに、これらレンズの外周部のフランジ部どうしを嵌合部で嵌合した貼合わせレンズであって、
貼り合わされた前記レンズの間の接着層より径方向外側でかつ、前記嵌合部より径方向内側において、下側の前記レンズのフランジ部に接着剤溜りが環状に設けられ、
前記接着剤溜りの外周部に、当該接着剤溜りの底面から上側に向かう上り壁が設けられていることを特徴とする。
【０００７】
ここで、上下のレンズとは、これらレンズを、それらの光軸を鉛直方向に向けて、貼り合す際に、下側に配置するレンズを下側のレンズとし、上側に配置するレンズを上側のレンズと規定する。したがって、レンズ間に注入された接着剤は重力によって上方（斜め上方を含む）から下方（斜め下方を含む）に向けて流れることになる。
【０００８】
本発明においては、接着剤がレンズどうしの接着層を越えると当該接着剤は接着剤溜りに流入するが、接着剤溜りの外周部に、当該接着剤溜りの底面から上側に向かう上り壁が設けられているので、接着剤溜りに流入した接着剤は上り壁によって堰き止められる。したがって、レンズどうしを接着剤によって貼り合わせる際に、接着剤が嵌合部に溢れ出すのを防止できる。
【０００９】
本発明の前記構成において、前記嵌合部は、前記上り壁の上部と、上側の前記レンズのフランジ部との嵌合によって構成されていてもよい。
【００１０】
このような構成によれば、上り壁の上部を利用して嵌合部を構成できるので、下側のフランジ部に嵌合部を構成する別の嵌合形状を形成する必要がない。
【００１１】
また、本発明の前記構成において、上下の前記レンズの有効径内における上下の前記レンズのレンズ面どうしの間の間隔より、上下の前記レンズの有効径外における対向面どうし間の間隔が広くなっているのが好ましい。
特に、前記レンズ面どうしの間の間隔および対向面どうしの間の間隔は、径方向外側に向かうほど広くなっているのが好ましい。
【００１２】
このような構成によれば、レンズどうしを接合する場合に、接着剤がレンズ面側から対向面側に向けて径方向外側に流れていくが、レンズ面どうしの間の間隔より、対向面どうし間の間隔が広くなっているので、接着剤中の気泡は、貼合わされるレンズどうしが近づくにつれて、レンズ面どうしの間から対向面どうしの間に押し出されるように移動して、接着剤溜りに流入するので、有効径の外側に排出され易くなる。したがって、レンズ面どうしの間の気泡除去が容易となる。
【００１３】
また、本発明の前記構成において、上下の前記レンズのフランジ部のうち、一方のフランジ部の外周面が他方のフランジ部の外周面より径方向外側に突出していてもよい。
【００１４】
このような構成によれば、貼合されたレンズを円筒状のレンズ枠（鏡筒）に挿入して固定する場合に、一方のフランジ部の外周面をレンズ枠の内周面に当接することで、貼合わせレンズの径方向の位置決めを行うことができる。また、他方のフランジ部の外周面がレンズ枠の内周面に当接しないので、他方のレンズにはレンズ枠から力が作用しない。このため、この力に起因するレンズどうしの接着剥がれを防止できる。
【００１５】
本発明のカメラモジュールは、前記貼合わせレンズを備えていることを特徴とする。
このような構成によれば、上述の貼合わせレンズの作用効果をカメラモジュールで得ることができる。
【発明の効果】
【００１６】
本発明によれば、レンズどうしを接着剤によって貼り合わせる際に、接着剤が嵌合部に溢れ出すのを防止できる。
【図面の簡単な説明】
【００１７】
【図１】本発明の第１の実施の形態に係るレンズユニットを示す断面図である。
【図２】本発明の第１の実施の形態に係る貼合わせレンズを示す断面図である。
【図３】本発明の第２の実施の形態に係る貼合わせレンズを示す断面図である。
【図４】本発明の第３の実施の形態に係る貼合わせレンズを示す断面図である。
【図５】本発明の第４の実施の形態に係る貼合わせレンズを示す断面図である。
【図６】本発明の実施の形態に係るカメラモジュールを示す概略断面図である。
【発明を実施するための形態】
【００１８】
以下、図面を参照しながら本発明の実施の形態について説明する。
（第１の実施の形態）
図１は、第１の実施の形態の貼合わせレンズ１８を有するレンズユニット１１を示している。このレンズユニット１１は、例えば、車載カメラ用のものであり、自動車の外側に少なくともレンズユニット１１の物体側の端部（図１では上端部）を露出して設置される。
【００１９】
レンズユニット１１は、円筒状の鏡筒１２と、鏡筒１２内に配置される複数（例えば、４つ）のレンズ１３，１４，１５，１８と、２つの絞り部材２１，２２とを備えている。このレンズユニット１１を備える車載カメラは、レンズユニット１１と、図示しないイメージセンサを有する基板と、当該基板を自動車等の車両に設置する図示しない設置部材とを備えるものである。
【００２０】
鏡筒１２に固定されて支持されている複数のレンズ１３，１４，１５，１８は、それぞれの光軸を一致させた状態に配置されており、１つの光軸に沿って各レンズ１３，１４，１５，１８が並べられた状態となって、撮像に用いられる１群のレンズ群を構成している。また、レンズ１８は、貼合わせレンズ１８であり、レンズ１６とレンズ１７が接着剤によって貼合された状態となっている。
【００２１】
２つの絞り部材２１，２２のうちの物体側（鏡筒１２の一方の端部）から１番目の絞り部材２１は、物体側から２番目のレンズ１４と３番目のレンズ１５との間に配置されている。物体側から２番目の絞り部材２２は、物体側から３番目のレンズ１５と４番目のレンズ１６との間に配置されている。絞り部材２１、２２は透過光量を制限し、明るさの指標となるＦ値を決定する「開口絞り」またはゴーストの原因となる光線や収差の原因となる光線を遮光する「遮光絞り」である。
【００２２】
鏡筒１２は、物体側の一方の端部（図１において上端部）が、カシメられることにより、その内径が縮径され、内部に収容された最も物体側のレンズ１３の外径より鏡筒１２の物体側の端部の内径が小さくされ、これによって枠部２３が設けられている。
また、鏡筒１２の像側の他方の端部（図１において下端部）には、貼合わせレンズ１８より径の小さい開口部を有する枠部２４が設けられている。これら枠部２３，２４により、鏡筒１２内にレンズ群を構成する複数のレンズ１３、１４、１５、１８と絞り部材２１，２２が保持されている。なお、枠部２３は、鏡筒１２にレンズ１３，１４，１５，１８を収納した後に鏡筒１２の物体側の端部に取り付けられるものであってもよい。
【００２３】
最も物体側のレンズ１３の外周面には、当該レンズ１３の像側部分に径が小さくなった縮径部が設けられ、当該縮径部にシール部材としてのＯリング２６が設けられ、レンズ１３の外周面と鏡筒１２の内周面との間を、鏡筒１２の物体側端部で封止した状態となっている。これにより、レンズユニット１１の物体側の端部から鏡筒１２内に水や塵埃等の微粒子が浸入するのを防止している。
【００２４】
鏡筒１２は、その内径が物体側から像側に向かって段階的に小さくなっている。これに対応して、レンズ１３，１４，１５，１８は、それらの配置位置が物体側から像側に向かうにつれて、外径が小さくなっている。基本的にレンズ１３，１４，１５，１８それぞれの外径と、鏡筒１２の各レンズ１３，１４，１５，１８が支持される部分それぞれの内径とは略等しくなっている。なお、鏡筒１２の外周面には、鏡筒１２を車載カメラに設置する際に用いられるフランジ部２５が鏡筒１２の外周面に鍔状に設けられている。
【００２５】
また、レンズ１３，１４，１５，１８のうちの最も物体側の車外（鏡筒１２外）に露出するレンズ１３がガラスレンズで、レンズ１４，１５，１８が樹脂レンズとなっている。
最も像側の貼合わせレンズ１８は、その外周部の像側の面（図１において下面）が基準面として光軸に直交する面となっている。この貼合わせレンズ１８の基準面は、貼合わせレンズ１８の外径より小さな内径の開口部を有する枠部２３の内面側の基準面に当接するようになっている。
【００２６】
本実施の形態において、貼合わせレンズ１８は、図２に示すように、物体側の凹レンズ１６と、像側の凸レンズ１７とを接着剤で貼り合わせたものであり、これらレンズ１６，１７は樹脂レンズで構成されている。なお、以下では凹レンズ１６を単にレンズ１６と、凸レンズ１７を単にレンズ１７と称する場合がある。
また、凹レンズ１６と凸レンズ１７とを貼り合す際は、凹レンズ１６を下にし、凸レンズ１７を上にして貼り合わせ作業を行うため、図２では、凹レンズ１６を下にし、凸レンズ１７を上にしてこれらを図示している。以下の説明における上下は、上述の貼り合わせ時の上下関係に基づいたものである。
なお、鏡筒１２内に貼合わせレンズ１８を組み込む際は、図２に示す貼合わせレンズ１８の上下を逆にして組み込む。
【００２７】
凹レンズ１６は、像側が凹面３１とされ、物体側が凸面３６とされている。また、凹レンズ１６は、所望のレンズ機能を有するレンズ部１６ｂとその外周縁の外側に形成された円環状のフランジ部１６ａとを備えている。また、凹レンズ１６と凸レンズ１７の貼り合わせに際しては、凹レンズ１６の凹面３１を上にして、この凹面３１に接着剤を注入するようになっている。
【００２８】
凸レンズ１７は、光が通過する物体側の凸面４１と像側の凸面４６とを備えている。また、凸レンズ１７は、所望のレンズ機能を有するレンズ部１７ｂと、その外周に形成された円環状のフランジ部１７ａとを備えている。なお、凹レンズ１６の像側の凹面３１と凸レンズ１７の物体側の凸面４１はレンズ機能を有する範囲として有効径ｒを有する。
これら凹レンズ１６と凸レンズ１７とを貼り合わせる際には、凹レンズ１６の像側の凹面３１に凸レンズ１７の物体側の凸面４１を接着剤により接合する。
この場合に、凹レンズ１６の凹面３１と凸レンズ１７の凸面４１との間が接着層５１となる。なお、図２においては、接着剤を図示していないが、接着層５１には、接着剤が充填された状態となっている。また、接着層５１の範囲は、有効径ｒの範囲より広くなっており、後述する対向面５４，５５の間まで広がっている。
【００２９】
レンズ１６の有効径ｒの外側のフランジ部１６ａには、接着剤溜り５３が円環状に設けられている。この接着剤溜り５３は、断面略逆台形状に形成されており、平面円環状の底面５３ａと、この底面５３ａの内周側に、当該底面５３ａと連続して設けられた円環状の傾斜面５３ｂと、底面５３ａの外周側に、当該底面５３ａと連続して設けられた円環状の傾斜面５３ｃとから構成されている。
傾斜面５３ｃは、接着剤溜り５３の底面５３ａの外周縁から径方向外側に向けて斜め上側に向かう上り壁５３ｃとなっている。この上り壁５３ｃの外周側には上り壁５３ｃの上縁と等しい高さの平坦面５３ｄが上り壁５３ｃと連続して設けられている。
また、傾斜面５３ｂと前記凹面３１との間には、平坦な対向面５４が円環状に設けられている。この対向面５４は凹レンズ１６の有効径外に設けられており、有効径内におけるレンズ面（凹面）３１と連続している。実際には、レンズ面３１の有効径より外周側にはレンズ面３１の外周側を構成する面があり、この面に対向面５４が連続している。また、対向面５４は、前記平坦面５３ｄより上側（像側）に位置している。
【００３０】
一方、レンズ１７のレンズ面（凸面）４１の外周側には、平坦な対向面５５が円環状に、かつ対向面５４と所定の間隔をもって設けられている。この対向面５５の径方向の幅は対向面５４の径方向の幅とほぼ等いか、若干広くなっている。対向面５６は凸レンズ１７の有効径外でかつ対向面５５の外側に設けられており、対向面５５に連続している。実際には、レンズ面４１の有効径より外周側にはレンズ面４１の外周側を構成する面があり、この面に対向面５５が連続している。
【００３１】
また、対向面５５の外周側には、径方向外側に向けて下方に傾斜する傾斜面５６が対向面５５と連続して設けられている。この傾斜面（対向面）５６は前記傾斜面（対向面）５３ｂと所定の間隔をもって対向して配置されるとともに、当該傾斜面５３ｂより傾斜方向の長さが短くなっている。
また、傾斜面５６の外周側には、平坦面５７が傾斜面５６と連続して設けられており、この平坦面５７は接着剤溜り５３の底面５３ａと平行となっている。また、平坦面５７は底面５３ａおよび前記平坦面５３ｄと所定の間隔をもって対向している。
【００３２】
凹レンズ１６の凹面３１の底面にポッティングされた接着剤は凹レンズ１６の凹面３１と凸レンズ１７の凸面の貼り合せにより凹面３１と凸面間を充填し、その一部は、対向面５４と対向面５５との間に当該間を通るようにして広がり、当該間に充填され、さらに余分な接着剤が傾斜面（対向面）５３ｂと傾斜面（対向面）５６との間を傾斜面５３ｂに沿って下って接着剤溜り５３に流入する。したがって、接着剤溜り５３の堰き止め部として機能する上り壁５３ｃの高さは、余分な接着剤が上り壁５３ｃの上端を越えないような高さに設定されている。
【００３３】
また、上下のレンズ１７，１６の有効径内における上下のレンズ１７，１６のレンズ面４１，３１どうしの間の間隔より、上下のレンズ１７，１６の有効径外における対向面５５，５４どうし間の間隔および傾斜面（対向面）５６，５３ｂどうしの間の間隔が広くなっている。これにより、接着剤の中に混入あるいは発生した気泡が容易にレンズ部の外側に排出される。
さらに、レンズ面４１，３１どうしの間の間隔は径方向外側に向かうほど広くなっており、さらに気泡が排出され易くなっている。
具体的には、レンズ面４１,３１どうしの間の間隔は、レンズ面４１，３１の中央部付近（レンズ面４１，３１と光軸とが交差する部分およびその近傍）間の間隔より、レンズ面４１，３１の外周側の間隔が次第に広くなっている。つまり、レンズ面（凹面）３１と、レンズ面（凸面）４１は、凹と凸で異なるが略同形状となっている従来の貼合わせレンズと異なり、異なる形状の面となっている。凹面３１および凸面４１は、非球面であるが、概略的に、凹面３１の曲率より凸面４１の曲率の方が大きくなっている。これにより、凹面３１と凸面４１の間隔は、中心から周縁に向かうにつれて徐々に広くなるようになっている。なお、凹面３１と凸面４１を球面としてもよい。
また、対向面（傾斜面）５３ｂと対向面（傾斜面）５６との間の間隔は、対向面５４と対向面５５との間の間隔より広くなっている。
【００３４】
また、レンズ１６のフランジ部１６ａとレンズ１７のフランジ部１７ａとは嵌合している。すなわち、フランジ部１６ａには、前記平坦面５３ｄより外周側に平坦面５３の外周縁から径方向外側に向かうほど下方（物体側）に傾斜する嵌合面５８が設けられている。
また、フランジ部１７ａには、前記平坦面５７より外周側に平坦面５７の外周縁から径方向外側に向かうほど下方（物体側）に傾斜する嵌合面５９が設けられている。
これら嵌合面５８，５９が嵌合することで、嵌合部６０が構成されている。そして、レンズ１６とレンズ１７を貼り合せる際に、これら嵌合面５８，５９により、レンズ１６，１７の径方向（光軸直交方向）の位置決めがなされている。つまり、レンズ１６，１７の光軸が一致している。
このように嵌合部６０を構成する嵌合面５８，５９は互いのレンズに対して光軸が一致するように誘導する機能を有するものであるため、嵌合面５８，５９の傾斜角は一致している必要性はない。但し、嵌合面５８の光軸に対する角度は，嵌合面５９の光軸に対する角度より小さいほうが好ましい。すなわち、光軸方向位置決めとしてのフランジ部１６ａフランジ部１７ａの当接面から離れるにしたがって、嵌合面５８，５９が互いに離れるようになっているのが好ましい。この逆に比べて製造上他方のレンズを呼び込みやすいというメリットがある。
また、貼り合せ完了の際に必ずしも嵌合面５８，５９が接触している必要はなく、所定の公差の範囲内であれば互いに離間していてもよい。嵌合面５８，５９が接触する場合、後述するフランジ部１７ａとフランジ部１６ａによる光軸方向の位置決めが困難となるケースがあるため、むしろ嵌合面５８，５９の直径方向の隙間量（一方の隙間量と光軸を挟んで他方側の隙間量の合計値）を光軸方向に見ていった場合の隙間量最小値をΔとした場合、０＜Δ≦２０μｍの範囲を満たすのが好ましい。なお、隙間量最小値Δは、前提としてレンズ部の直径（明らかにレンズ面形状が変化しているフランジ面との境界における直径）が１．５〜３．０ｍｍのレンズの場合に適用したときの値である。
さらに、嵌合部６０の外側（外周側）では、フランジ部１６ａの上側（像側）の面１６ｃとフランジ部１７ａの下側（物体側）の面１７ｃとが互いに当接しており、これによって、レンズ１６，１７の光軸方向の位置決めがなされている。
【００３５】
また、レンズ１７のフランジ部１７ａの外周面より、レンズ１６のフランジ部１６ａの外周面が径方向外側に突出している。つまり、レンズ１７よりレンズ１６の方が大径となっている。
【００３６】
このような構成により、レンズ１６、１７の接合時には、平面視して、円板状の接着層５１から略径方向に沿って外側に溢れ出した接着剤は、接着層５１の外側の対向面５４，５５間（接着剤通路）および対向面５３ｂ，５６間（接着剤通路）に至り、さらに径方向外側に接着剤が拡がるように流れ出て、接着剤通路の外側に設けられた接着剤溜り５３に流入するようになっている。接着剤溜り５３の外周部には、当該接着剤溜り５３の底面５３ａから上側に向かう上り壁５３ｃが設けられているので、接着剤溜り５３に流入した余分な接着剤は上り壁５３ｃによって堰き止められて、嵌合部６０側に溢れ出ることがない。
【００３７】
以上のように本実施の形態によれば、貼り合わされたレンズ１６，１７の間の接着層５１より径方向外側でかつ、嵌合部６０より径方向内側において、下側のレンズ１６のフランジ部１６ａに接着剤溜り５３が環状に設けられ、この接着剤溜り５３の外周部に、当該接着剤溜り５３の底面５３ａから上側に向かう上り壁５３ｃが設けられているので、接着剤が接着層５１を越えると当該接着剤は接着剤溜り５３に流入するが、この流入した接着剤は上り壁５３ｃによって堰き止められる。したがって、レンズ１６，１７どうしを接着剤によって貼り合わせる際に、接着剤が嵌合部６０に溢れ出すのを防止できる。
【００３８】
また、上下のレンズ１７，１６の有効径内におけるレンズ面４１，３１どうしの間の間隔より、レンズ１７，１６の有効径外における対向面５５，５４どうし間の間隔および対向面５６，５３ｂどうし間の間隔が広くなっている。したがって、レンズ１７，１６どうしを接合する場合に、接着剤がレンズ面４１，３１側から対向面５５，５４側に向けて径方向外側に流れていくが、この接着剤中の気泡は、貼合わされるレンズ１７，１６どうしが近づくにつれて、レンズ面４１，３１どうしの間から対向面５５，５４どうしの間および対向面（傾斜面）５６，５３ｂどうしの間に押し出されるように移動して、接着剤溜り５３に流入するので、有効径の外側に排出され易くなる。したがって、レンズ面４１，３１どうしの間の気泡除去が容易となる。
【００３９】
また、レンズ１７のフランジ部１７ａの外周面より、レンズ１６のフランジ部１６ａの外周面が径方向外側に突出しているので、レンズ１６，１７を貼合わせてなる貼合わせレンズ１８を鏡筒１２内に挿入して固定する場合に、レンズ１６のフランジ部１６ａが鏡筒１２の内周面に当接することで、貼合わせレンズ１８の径方向の位置決めを行うことができる。また、レンズ１７のフランジ部１７ａの外周面が鏡筒１２の内周面に当接しないので、レンズ１７には鏡筒１２の内周面から力が作用しない。このため、この力に起因するレンズ１６，１７どうしの接着剥がれを防止できる。
【００４０】
（第２の実施の形態）
図３は第２の実施の形態の貼合わせレンズ１８Ａを示す断面図である。
この貼合わせレンズ１８Ａが第１の実施の形態の貼合わせレンズ１８と主に異なる点は、上側のレンズ１７の接合面の形状であるので、以下ではこの点について説明し、第１の実施の形態と共通の構成に同一符号を付してその説明を省略ないし簡略化する。
【００４１】
第２の実施の形態の貼合わせレンズ１８Ａは、物体側のレンズ１６と、像側のレンズ１７とを接着剤で貼り合わせたものである。
なお、鏡筒１２内に貼合わせレンズ１８Ａを組み込む際は、図３に示す貼合わせレンズ１８Ａの上下を逆にして組み込む。
【００４２】
レンズ１７の傾斜面５６ａは、第１の実施の形態におけるレンズ１７の傾斜面５６より傾斜方向の長さが長くなっており、当該傾斜面５６ａの外周縁は接着剤溜り５３の底面５３ａの近傍に位置している。傾斜面５６ａの外周側には平坦面６１が環状に設けられており、この平坦面６１と底面５３ａとの間には僅かな間隔が設けられている。また、平坦面６１の外周側には傾斜面６２が環状に設けられている。この傾斜面６２は径方向外側に向かうほど上方（像側）に傾斜しており、この傾斜面６２の外周側に平坦面６３が環状に設けられている。そして、この平坦面６３の外周側に嵌合面５９が設けられ、この嵌合面５９がレンズ１６の嵌合面５８と嵌合している。
【００４３】
また、本実施の形態では、上下のレンズ１７，１６の有効径内における上下のレンズ１７，１５のレンズ面４１，３１どうしの間の外周側の間隔と、上下のレンズ１７，１６の有効径外における対向面５５，５４どうし間の間隔と、傾斜面５６ａ，５３ｂどうしの間の間隔とが等しくなっている。
さらに、レンズ面４１，３１どうしの間の間隔は中心側の方が外周側より広くなっている。
【００４４】
本実施の形態では、傾斜面５６ａが接着剤溜り５３の傾斜面５３ｂと長さがほぼ等しくなっているとともに、傾斜面５６ａと傾斜面５３ｂとの間の間隔が、第１の実施の形態における傾斜面５６と傾斜面５３ｂとの間の間隔より狭いので、接着剤溜り５３に溜まる接着剤を含めてレンズ１６，１７どうしの接着に要する接着剤の量が第１の実施の形態より少なくてすむという利点がある。このため、接着剤溜り５３の容積が第１の実施の形態の接着剤溜り５３の容積より小さくなっている。また、有効径外における接着層の面積が第１の実施の形態より広くなるので、その分、接着強度が高まるという利点がある。
また、本実施の形態では、レンズ１６のフランジ部１６ａの外周面より、レンズ１７のフランジ部１７ａの外周面が径方向外側に突出しているので、レンズ１６，１７を貼合わせてなる貼合わせレンズ１８Ａを鏡筒１２内に挿入して固定する場合に、レンズ１７のフランジ部１７ａが鏡筒１２の内周面に当接することになる。
【００４５】
また、本実施の形態においても第１の実施の形態と同様に、接着剤溜り５３に流入した接着剤は上り壁５３ｃによって堰き止められるので、レンズ１６，１７どうしを接着剤によって貼り合わせる際に、接着剤が嵌合部６０に溢れ出すのを防止できる。
さらに、貼合わせレンズ１８Ａを鏡筒１２内に挿入して固定する場合に、レンズ１７のフランジ部１７ａが鏡筒１２の内周面に当接することで、貼合わせレンズ１８Ａの径方向の位置決めを行うことができる。また、レンズ１６のフランジ部１６ａの外周面が鏡筒１２の内周面に当接しないので、レンズ１６には鏡筒１２の内周面から力が作用しない。このため、この力に起因するレンズ１６，１７どうしの接着剥がれを防止できる。
【００４６】
（第３の実施の形態）
図４は第３の実施の形態の貼合わせレンズ１８Ｂを示す断面図である。
この貼合わせレンズ１８Ｂが第２の実施の形態の貼合わせレンズ１８Ａと主に異なる点は、レンズ１６とレンズ１７との接合面間の間隔であるので、以下ではこの点について説明し、第２の実施の形態と共通の構成に同一符号を付してその説明を省略ないし簡略化する。
【００４７】
本実施の形態では、上下のレンズ１７，１６の有効径内における上下のレンズ１７，１５のレンズ面４１，３１どうしの間の間隔より、上下のレンズ１７，１６の有効径外における対向面５５，５４どうし間の間隔、傾斜面５６ａ，５３ｂどうしの間の間隔および底面５３ａと平坦面６１との間の間隔のほうが広くなっている。
また、対向面５５，５４どうし間の間隔と、傾斜面（対向面）５６ａ，５３ｂどうしの間の間隔と、底面５３ａと平坦面６１との間の間隔とは等しくなっている。
さらに、レンズ面４１，３１どうしの間の間隔は径方向外側に向かうほど広くなっている。
【００４８】
このように、本実施の形態では、上下のレンズ１７，１６の有効径内における上下のレンズ１７，１５のレンズ面４１，３１どうしの間の間隔より、上下のレンズ１７，１６の有効径外における対向面５５，５４どうし間の間隔、傾斜面（対向面）５６ａ，５３ｂどうしの間の間隔および底面５３ａと平坦面６１との間の間隔のほうが広くなっている。
したがって、レンズ１７，１６どうしを接合する場合に、接着剤がレンズ面４１，３１側から対向面５４，５３側に向けて径方向外側に流れていくが、この接着剤中の気泡は、貼合わされるレンズ１７，１６どうしが近づくにつれて、レンズ面４１，３１どうしの間から対向面５５，５４どうしの間、対向面（傾斜面）５６ａ，５３ｂどうしの間および底面５３ａと平坦面６１との間に押し出されるように移動して、接着剤溜り５３に流入するので、有効径の外側に排出され易くなる。したがって、レンズ面４１，３１どうしの間の気泡除去が容易となる。
【００４９】
また、本実施の形態においても第２の実施の形態と同様に、接着剤溜り５３に流入した接着剤は上り壁５３ｃによって堰き止められるので、レンズ１６，１７どうしを接着剤によって貼り合わせる際に、接着剤が嵌合部６０に溢れ出すのを防止できる。
さらに、貼合わせレンズ１８Ｂを鏡筒１２内に挿入して固定する場合に、レンズ１７のフランジ部１７ａが鏡筒１２の内周面に当接することで、貼合わせレンズ１８Ａの径方向の位置決めを行うことができる。また、レンズ１６のフランジ部１６ａの外周面が鏡筒１２の内周面に当接しないので、レンズ１６には鏡筒１２の内周面から力が作用しない。このため、この力に起因するレンズ１６，１７どうしの接着剥がれを防止できる。
【００５０】
（第４の実施の形態）
図５は第４の実施の形態の貼合わせレンズ１８Ｃを示す断面図である。
貼合わせレンズ１８Ｃは、図５に示すように、物体側の凹レンズ６６と、像側の凸レンズ６７とを接着剤で貼り合わせたものである。
なお、凹レンズ６６と凸レンズ６７とを貼り合す際は、凹レンズ６６を下にし、凸レンズ６７を上にして貼り合わせ作業を行う
なお、鏡筒１２内に貼合わせレンズ１８Ｃを組み込む際は、図５に示す貼合わせレンズ１８Ｃの上下を逆にして組み込む。
【００５１】
凹レンズ６６は、像側が凹面３１とされ、物体側が凸面３６とされている。また、凹レンズ６６は、その光学上の有効径の範囲となるレンズ部６６ｂとその外周縁の外側に形成された円環状のフランジ部６６ａとを備えている。また、凹レンズ６６と凸レンズ６７の貼り合わせに際しては、凹レンズ６６の凹面３１を上にして、この凹面３１に接着剤を注入するようになっている。
【００５２】
凸レンズ６７は、光が通過する物体側の凸面４１と像側の凸面４６とを備えている。また、凸レンズ６７は、その有効径ｒの範囲となるレンズ部６７ｂと、その外周縁の外側に形成された円環状のフランジ部６７ａとを備えている。
これら凹レンズ６６と凸レンズ６７とを貼り合わせる際には、凹レンズ６６の像側の凹面３１に凸レンズ６７の物体側の凸面４１を接着剤により接合する。
この場合に、凹レンズ６６の凹面３１と凸レンズ６７の凸面４１との間が接着層５１となる。なお、図５においては、接着剤を図示していないが、接着層５１には、接着剤が充填された状態となっている。また、接着層５１の範囲は、有効径ｒの範囲より広くなっており、対向面５４，５５の間まで広がっている。
【００５３】
レンズ６６の有効径ｒの外側のフランジ部６６ａには、接着剤溜り７３が円環状に設けられている。この接着剤溜り７３は、断面略Ｌ字状に形成されており、平面円環状の底面７３ａと、この底面７３ａの外周側に当該底面７３ａと連続して設けられた円筒状の傾斜面７３ｃとから構成されている。
傾斜面７３ｃは、接着剤溜り７３の底面７３ａの外周縁から径方向外側に向けて斜め上側に向かう上り壁７３ｃとなっている。この上り壁７３ｃの外周側には、上り壁７３ｃの上縁と等しい高さの平坦面７３ｄが設けられている。
また、接着剤溜り７３の底面７３ａの内周側には傾斜面７３ｂが設けられ、この傾斜面７３ｂと前記凹面３１との間に、平坦な対向面５４が円環状に設けられている。この対向面５４は凹レンズ６６の有効径外に設けられており、有効径内におけるレンズ面（凹面）３１と連続している。実際にはレンズ面３１の有効径より外周側にはレンズ面３１と連続する面があり、この面に対向面５４が隣接している。また、対向面５４は、前記平坦面７３ｄより上側（像側）に位置している。
【００５４】
一方、レンズ６７のレンズ面（凸面）４１の外周側には、平坦な対向面５５が円環状に、かつ対向面５４と所定の間隔をもって設けられている。この対向面５５の径方向の幅は対向面５４の径方向の幅とほぼ等いか、若干広くなっている。
また、対向面５５の外周側には、径方向外側に向けて下方に傾斜する傾斜面７６が設けられている。この傾斜面（対向面）７６は前記傾斜面（対向面）７３ｂと所定の間隔をもって対向して配置されるとともに、当該傾斜面７３ｂと傾斜方向の長さがほぼ等しくなっている。
また、傾斜面７６の外周側には、平坦面７７が円環状に設けられており、この平坦面７７は接着剤溜り７３の底面７３ａと平行となっており、また、平坦面７７は底面７３ａと所定の間隔をもって対向している。
【００５５】
凹レンズ６６の凹面３１と凸レンズ６７の凸面４１との間に注入された接着剤の一部は、対向面５４と対向面５５との間に当該間を通るようにして広がり、当該間に充填され、さらに余分な接着剤が傾斜面７３ｂと傾斜面７６との間を傾斜面７３ｂに沿って下って接着剤溜り７３に流入する。したがって、接着剤溜り７３の堰き止め部として機能する上り壁７３ｃの高さは、余分な接着剤が上り壁７３ｃの上端を越えないような高さに設定されている。
【００５６】
また、上下のレンズ６７，６６の有効径内における上下のレンズ６７，６６のレンズ面４１，３１どうしの間の間隔より、上下のレンズ６７，６６の有効径外における対向面５５，５４どうし間の間隔および傾斜面７６，７３ｂどうしの間の間隔が広くなっている。
また、対向面（傾斜面）７３ｂと対向面（傾斜面）７６との間の間隔は、対向面５４と対向面５５との間の間隔より広くなっている。
なお、レンズ面４１，３１どうしの間の間隔は、レンズ面４１，３１の外周部側の間隔の方が、レンズ面４１，３１の中央部付近（レンズ面４１，３１と光軸とが交差する部分およびその近傍）間の間隔より広くなっている。
【００５７】
また、レンズ６６のフランジ部６６ａとレンズ６７のフランジ部６７ａとは嵌合している。すなわち、レンズ６７の平坦面７７の外周側には傾斜面７８が設けられている。この傾斜面７８は平坦面７７の外周縁から径方向外側に向けて斜め上側に向かうように形成されており、光軸に対する傾斜角度は、前記上り壁７３ｃと等してくなっている。
そして、この傾斜面７８と上り壁７３ｃの上部７３ｅとが嵌合することで、嵌合部６０Ａが構成されている。すなわち、上り壁７３ｃの略上半分が嵌合面７３ｅとされ、傾斜面７８の全体が嵌合面７８とされ、これら嵌合面７３ｅ，７８どうしが嵌合することで、嵌合部６０Ａが構成されている。この嵌合部６０によってレンズ６６，６７の径方向の位置決めがなされている。つまり、レンズ６６，６７の光軸が一致している。
また、レンズ６７の傾斜面７８の外周側には平坦面７９が円環状に設けられている。なお、この平坦面７９はフランジ部６７ａの下面（物体側の面）に形成され、前記平坦面７３ｄはフランジ部６６ａの上面（像側の面）に形成されている。
そして、嵌合部６０Ａの外側（外周側）では、フランジ部６６ａの上側（像側）の平坦面７３ｄとフランジ部６７ａの下側（物体側）の平坦面７９ｃとが互いに当接しており、これによって、レンズ６６，６７の光軸方向の位置決めがなされている。
【００５８】
また、レンズ６７のフランジ部６７ａの外周面より、レンズ６６のフランジ部６６ａの外周面が径方向外側に突出している。つまり、レンズ６７よりレンズ６６の方が大径となっている。
【００５９】
このような構成により、レンズ６６、６７の接合時には、平面視して、円板状の接着層５１から略径方向に沿って外側に溢れ出した接着剤は、接着層５１の外側の対向面５４，５５間（接着剤通路）および傾斜面７３ｂ，７６間（接着剤通路）に至り、さらに、径方向外側に接着剤が拡がるように流れ出て、接着剤通路の外側に設けられた接着剤溜り７３に流入するようになっている。接着剤溜り７３の外周部には、当該接着剤溜り７３の底面７３ａから上側に向かう上り壁７３ｃが設けられているので、接着剤溜り７３に流入した余分な接着剤は上り壁７３ｃによって堰き止められて、嵌合部６０Ａ側に溢れ出ることがない。
【００６０】
図６は、本実施の形態のカメラモジュール３００の概略断面図である。図６に示すように、カメラモジュール３００は、フィルタ１００が装着されたレンズユニット１１を含んで構成されている。このレンズユニット１１は上述したように貼合わせレンズ１８を有している。したがって、カメラモジュール３００は貼合わせレンズ１８を備えたものとなっている。なお、カメラモジュール３００において、レンズユニット１１に、貼合わせレンズ１８に代えて、貼合わせレンズ１８Ａ，１８Ｂ，１８Ｃを組み込んでもよい。
【００６１】
カメラモジュール３００は、外装部品である上ケース（カメラケース）３０１と、レンズユニット１１を保持するマウント（フランジ、台座）３０２とを備えている。また、カメラモジュール３００は、シール部材３０３およびパッケージセンサ（撮像素子）３０４を備えている。
【００６２】
上ケース３０１は、レンズユニット１１の物体側の端部を露出させるとともに他の部分を覆う部材である。マウント３０２は、上ケース３０１の内部に配置されており、レンズユニット１１の雄ねじ１１ａと螺合する雌ねじ３０２ａを有する。シール部材３０３は、上ケース３０１の内面とレンズユニット１１の鏡筒１の外周面との間に介挿された部材であり、上ケース３０１の内部の気密性を保持するための部材である。
【００６３】
パッケージセンサ３０４は、上ケース３０１の内部に配置されており、かつ、レンズユニット１１により形成された物体の像を受光する位置に配置されている。また、パッケージセンサ３０４は、ＣＣＤやＣＭＯＳ等を備えており、レンズユニット１１を通じて集光して到達した光を電気信号に変換する。変換された電気信号はカメラにより撮影された画像データの構成要素であるアナログデータやデジタルデータに変換される。
【００６４】
以上のように本実施の形態によれば、貼り合わされたレンズ６６，６７の間の接着層５１より径方向外側でかつ、嵌合部６０Ａより径方向内側において、下側のレンズ６６のフランジ部６６ａに接着剤溜り７３が環状に設けられ、この接着剤溜り７３の外周部に、当該接着剤溜り７３の底面７３ａから上側に向かう上り壁７３ｃが設けられているので、接着剤が接着層５１を越えると当該接着剤は接着剤溜り７３に流入するが、この流入した接着剤は上り壁７３ｃによって堰き止められる。したがって、レンズ６６，６７どうしを接着剤によって貼り合わせる際に、接着剤が嵌合部６０Ａに溢れ出すのを防止できる。
【００６５】
また、上下のレンズ６７，６６の有効径内におけるレンズ面４１，３１どうしの間の間隔より、レンズ６７，６６の有効径外における対向面５５，５４どうし間の間隔および対向面（傾斜面）７６，７３ｂどうし間の間隔が広くなっている。したがって、レンズ６７，６６どうしを接合する場合に、接着剤がレンズ面４１，３１側から対向面５５，５４側に向けて径方向外側に流れていくが、この接着剤中の気泡は、貼合わされるレンズ６７，６６どうしが近づくにつれて、レンズ面４１，３１どうしの間から対向面５５，５４どうしの間および対向面（傾斜面）７６，７３ｂどうしの間に押し出されるように移動して、接着剤溜り７３に流入するので、有効径の外側に排出され易くなる。したがって、レンズ面４１，３１どうしの間の気泡除去が容易となる。
【００６６】
また、レンズ６７のフランジ部６７ａの外周面より、レンズ６６のフランジ部６６ａの外周面が径方向外側に突出しているので、レンズ６６，６７を貼合わせてなる貼合わせレンズ１８Ｃを鏡筒１２内に挿入して固定する場合に、レンズ６６のフランジ部６６ａが鏡筒１２の内周面に当接することで、貼合わせレンズ６８の径方向の位置決めを行うことができる。また、レンズ６７のフランジ部６７ａの外周面が鏡筒１２の内周面に当接しないので、レンズ６７には鏡筒１２の内周面から力が作用しない。このため、この力に起因するレンズ６６，６７どうしの接着剥がれを防止できる。
さらに、嵌合部６０Ａは、上り壁７３ｃの上部の嵌合面７３ｄと、上側のレンズ６７のフランジ部６７ａに設けられた傾斜面７８（嵌合面）との嵌合によって構成されている。したがって、上り壁７３ｃの上部を利用して嵌合部６０Ａを構成できるので、下側のフランジ部６６ａに嵌合部を構成する別の嵌合形状を形成する必要がない。
また、カメラモジュール３００は、貼合わせレンズ１１を有するレンズユニット２０を備えているので、上述の貼合わせレンズ１１の作用効果をカメラモジュール３００で得ることができる。
【００６７】
なお、第１〜４実施の形態では、貼合わせレンズ１８，１８Ａ，１８Ｂ，１８Ｃは樹脂レンズであるが、本発明の貼合わせレンズは、樹脂レンズに限られるものではなく、ガラスレンズであってもよい。
【符号の説明】
【００６８】
１６，１７，６６，６７  レンズ
１６ａ，１６ｂ，６６ａ，６７ａ  フランジ部
１８，１８Ａ，１８Ｂ，１８Ｃ  貼合わせレンズ
３１，４１  レンズ面
５１  接着層
５３，７３  接着剤溜り
５３ａ，７３ａ  底面
５３ｃ，７３ｃ  上り壁
５３ｂ，５４〜５６，５６ａ，７３ｂ，７６
６０，６０Ａ  嵌合部
３００  カメラモジュール
【図１】
2018097294.tif 000003
【図２】
2018097294.tif 000004
【図３】
2018097294.tif 000005
【図４】
2018097294.tif 000006
【図５】
2018097294.tif 000007
【図６】
2018097294.tif 000008